(57)【要約】【課題】従来のプリンタ用梱包部材では、一旦プリンタの補助部材としてその一部を利用した場合、再梱包するに際して、正しい梱包形態を保てないという問題があった。【解決手段】プリンタ５０を収納して梱包するためのプリンタ用梱包箱１０において、梱包時に内側に折り込まれる内フラップ１９を有し、この内フラップ１９に、プリンタ５０に実装可能な補助部材３０となる分離部分１９ｂを設ける。【選択図】図１
2015081123.tif 000002
【特許請求の範囲】
【請求項１】
プリンタを収納して梱包するためのプリンタ用梱包箱において、
梱包時に内側に折り込まれる内フラップを有し、
該内フラップに、プリンタに実装可能な補助部材となる分離領域を設けたことを特徴とするプリンタ用梱包箱。
【請求項２】
前記分離領域を印刷補助線によって明示したことを特徴とする請求項１記載のプリンタ用梱包箱。
【請求項３】
前記分離領域をミシン目によって分離可能としたことを特徴とする請求項１記載のプリンタ用梱包箱。
【請求項４】
前記補助部材は、前記プリンタによって排出される印刷済み用紙を載置する位置に実装されることを特徴とする請求項１乃至３の何れかに記載のプリンタ用梱包箱。
【請求項５】
前記補助部材は、長方形の板状部材であることを特徴とする請求項１乃至４の何れかに記載のプリンタ用梱包箱。
【請求項６】
梱包時に、内側に折り込まれる内フラップを被う外フラップを有することを特徴とする請求項１乃至５の何れかに記載のプリンタ用梱包箱。
【発明の詳細な説明】
【技術分野】
【０００１】
本発明は、プリンタ用梱包箱のプリンタ本体への利用方法に関する。
【背景技術】
【０００２】
従来、この種のプリンタ用梱包部材のプリンタ本体への利用方法としては、例えば、プリンタを収納してその物流に供する梱包箱内部で使用する仕切り部材を、プリンタに付設する補助部材として利用できるように構成したものがあった（例えば、特許文献１参照）。
【先行技術文献】
【特許文献】
【０００３】
【特許文献１】特開２００７−１６１２６５号公報（第５頁、図２）
【発明の概要】
【発明が解決しようとする課題】
【０００４】
しかしながら、従来の構成では、仕切り部材から補助部材を切り出して利用するが、この場合、一度この補助部材を付設したプリンタを別の使用場所へ輸送する事例が発生した場合、再梱包するに際して、補助部材として利用したために復元困難になった仕切り部材が欠落するため、正しい梱包形態を保てないという問題があった。
【課題を解決するための手段】
【０００５】
本発明によるプリンタ用梱包箱は、プリンタを収納して梱包するためのプリンタ用梱包箱であって、
梱包時に内側に折り込まれる内フラップを有し、
該内フラップに、プリンタに実装可能な補助部材となる分離領域を設けたことを特徴とする。
【発明の効果】
【０００６】
本発明のプリンタ用梱包箱によれば、プリンタ本体に実装可能な補助部材を、コストアップすることなく提供することができ、また再梱包するに際して、初期梱包時の梱包形態、及び外観を維持することが可能となる。
【図面の簡単な説明】
【０００７】
【図１】本発明による実施の形態１のプリンタ用梱包箱の要部構成を示す外観斜視図である。
【図２】例えば内部にプリンタを収納して梱包した状態のプリンタ用梱包箱の外観斜視図である。
【図３】梱包を解いた後のプリンタ用梱包箱を示す説明図である。
【図４】（ａ）は、補助部材を実装したプリンタの背面側を、右後上方から視た外観斜視図であり、（ｂ）は、（ａ）の点線円囲み部の部分拡大図である。
【図５】図４（ａ）におけるＡ−Ａ断面を矢印方向から見た部分断面図である。
【図６】（ａ）は、プリンタを背面側からみた外観図であり、（ｂ）は、（ａ）中の円形囲み部を拡大し、且つ両囲み部間の距離を短縮した寸法図である。
【発明を実施するための形態】
【０００８】
実施の形態１．
図１は、本発明による実施の形態１のプリンタ用梱包箱１０の要部構成を示す外観斜視図であり、図２は、例えば内部にプリンタを収納して梱包した状態のプリンタ用梱包箱１０の外観斜視図である。
【０００９】
図１に示すように、プリンタ用梱包箱１０は、左右に位置する幅面１３，１４、前後に位置する長さ面１１，１２及び底面２１によって箱型に形成され、左幅面１３の上方に折り曲げ自在に連設した左側内フラップ１８、右幅面１４の上方に折り曲げ自在に連設した内フラップに相当する右側内フラップ１９、前長さ面１１の上方に折り曲げ自在に連設した前側外フラップ１６、及び後長さ面１２の上方に折り曲げ自在に連設した後側外フラップ１７を有する。
【００１０】
右側内フラップ１９には、後述するように、適宜設定されたサイズで切り出すための切り取り補助線１９ａが描かれており、この線に沿って切断されることにより分離領域に相当する分離部分１９ｂが分離する。尚、この補助線１９ａは、例えば通常梱包箱に施される装置名称、ケアマーク等の印刷と同時に印刷されるものである。
【００１１】
プリンタ用梱包箱１０は、例えば内部にプリンタ５０（図４）を所定の状態で収納したのち、図１に示すように左側内フラップ１８及び右側内フラップ１９を内側（互いに接近する側）に折り曲げ、更に閉じたときに幅方向の略中央で合わさるように設計された、前側外フラップ１６及び後側外フラップ１７を、互いが突き合わさるように閉じ、図２に示すように、外フラップ１６，１７の突き合わせ部分を梱包用テープ２５で接着固定してプリンタ５０を梱包する。このとき、両外フラップ１６，１７によって閉じられた面を天面２２と称す。
【００１２】
尚、ここでは、底面２１も、例えば天面２２と同様に、それぞれが左右の内フラップ１８，１９及び前後の外フラップ１６，１７と上下対称で、且つ同様に閉じられて梱包用テープ２６で接着固定された図示しないフラップによって形成されているものとする。
【００１３】
図３は、例えば梱包を解いて内部のプリンタ５０を取り出し、右側内フラップ１９の分離部分１９ｂを分離した後のプリンタ用梱包箱１０を示している。
【００１４】
プリンタ５０の通常の使用に際して、例えば取り出されたプリンタ５０に実装するための補助部材３０を用意するため、図３に示すように、プリンタ用梱包箱１０の右側内フラップ１９から、印刷された切り取り補助線１９ａに沿って長方形の板状の分離部分１９ｂを切り取り、補助部材３０とする。以後、分離部分１９ｂを補助部材３０と称す。
【００１５】
図４（ａ）は、補助部材３０を実装したプリンタ５０の背面側を、右後上方から視た外観斜視図であり、同図（ｂ）は、同図（ａ）の点線円囲み部６０の部分拡大図であり、図５は図４（ａ）におけるＡ−Ａ断面を矢印方向から見た部分断面図である。尚、図４（ｂ）では、補助部材３０を除いた状態で示している。
【００１６】
図４（ａ）に示すように、プリンタ５０の背面側には、印刷済み用紙を後方向（図５の矢印Ｂ方向）に向かって排出する用紙排出部５６に通ずる凹部５５があり、この凹部５５の左右の内側面には、左右対称に形成された、一対の上部突起５２Ｌ，５２Ｒ及び一対の下部突起５１Ｌ，５１Ｒが配設されている。但し図４、図５では、上部突起５２Ｌ及び下部突起５１Ｌのみ示し、以後の説明では簡単のためこれ等の構成、作用についてのみ説明する場合があるが、上部突起５２Ｒ及び下部突起５１Ｒも同様に構成され、作用するものである。
【００１７】
これ等の上部突起５２Ｌ及び下部突起５１Ｌは、プリンタ５０の本体に補助部材３０を実装するための保持部材となる。
【００１８】
板状の補助部材３０は、図４、図５に示すようにプリンタ５０の背面側の凹部５５に、その両短辺３０ａ，３０ｂが凹部５５の左右の内側面に対向し、用紙排出方向（矢印Ｂ方向）上流側の長辺３０ｃが下方となるように傾斜した状態で実装される。このとき、補助部材３０の長辺３０ｃは、凹部５５の下部シャーシ５４の、用紙排出部５６の下から用紙排出方向の下流側に向かって下方に傾斜した傾斜面５４ａに当接し、補助部材３０の一方の短辺３０ｂの傾斜面５４ａに近い上面が下部突起５１Ｌに当接し、この当接部より短辺中心に近い下面が上部突起５２Ｌに当接するように実装される。
【００１９】
従って、補助部材３０の下面と上部突起５２Ｌとの当接部が、補助部材３０の短辺方向において、その重心より長辺３０ｃに近く設定されることにより、各当接部は、補助部材３０の自重によって圧接状態となり、安定した装着状態が維持される。
【００２０】
尚、ここでは説明しないが、補助部材３０の他方の短辺３０ａと図示しない上部突起５２Ｒ及び下部突起５１Ｒとの当接関係も、上記した一方の短辺３０ｂと上部突起５２Ｌ及び下部突起５１Ｌとの当接関係と同様である。
【００２１】
従って、一対の上部突起５２Ｌ，５２Ｒ及び一対の下部突起５１Ｌ，５１Ｒは、プリンタ５０における用紙ルート範囲や周辺の可動部に影響のない箇所に設け、その突出量についても適宜設定されるものである。
【００２２】
次に、上記突出量を適当に制限するための各部の寸法について説明する。
【００２３】
図６（ａ）は、プリンタ５０を背面側からみた外観図であり、同図（ｂ）は、同図（ａ）中の円形囲み部を拡大し、且つ両囲み部間の距離を短縮した寸法図である。尚、ここでは、一対の上部突起５２Ｌ，５２Ｒ及び一対の下部突起５１Ｌ，５１Ｒの各取付け面からの高さを同一とする。
【００２４】
図６（ａ）、（ｂ）に示すように、補助部材３０の長辺の幅寸法Ｗ１、一対の上部突起５２Ｌ，５２Ｒ及び一対の下部突起５１Ｌ，５１Ｒが植立する凹部５５の左右の内側面間の開口部幅Ｗ２、及び上突起５２Ｌ（又は５２Ｒ）の先端から、反対側の内側面までの間隔Ｗ３の関係について、図６（ａ）、（ｂ）を参照しながら説明する。
【００２５】
ここで、幅寸法Ｗ１の補助部材３０が、開口部幅Ｗ２の凹部５５に嵌入し、更に必然的に４つの各突起と前記した当接状態を得るための条件は、
Ｗ２≧Ｗ１＞Ｗ３        ・・・（１）
の関係を満たすことである。
【００２６】
これにより、補助部材３０が、凹部５５で左右に片寄ったとしても、常に一対の上部突起５２Ｌ，５２Ｒ及び一対の下部突起５１Ｌ，５１Ｒとの当接状態が保たれ、安定した装着状態が維持可能となる。
【００２７】
次に、操作者による、補助部材３０ｂの具体的な実装例について記述する。
操作者は、図３に示すようにプリンタ５０を梱包した状態のプリンタ用梱包箱１０を開梱後、プリンタ５０を中から取り出し、右側内フラップ１９に印刷された切り取り補助線１９ａ（図１）に従って補助部材３０を切り出す。
【００２８】
切り出した補助部材３０を、図４〜図６に示すように、プリンタ５０の背面側の凹部５５において、その両短辺３０ａ，３０ｂが凹部５５の左右の内側面に対向し、用紙排出方向（図５の矢印Ｂ方向）上流側の長辺３０ｃが下方となるように傾斜させ、下面が上部突起５２Ｌ，５２Ｒに対向し、上面が下部突起５１Ｌ，５１Ｒに対向するように通過させ、そして長辺３０ｃが下部シャーシ５４の傾斜面５４ａに当接するまで差し込んでプリンタ５０本体に実装する。
【００２９】
従って、以上のようにして補助部材３０がプリンタ５０本体に実装された状態で印刷が行われ、用紙排出部５６から印刷済みの用紙が排出されると、その排出の過程において、排出方向（矢印Ｂ方向）の先端部が補助部材３０の傾斜した上面に当接して斜面に沿って上方へ導かれ、後端部が下部シャーシ５４の傾斜面５４ａに沿って落下し、排出された印刷済みの用紙が補助部材３０上に載置される。
【００３０】
尚、本実施の形態では、補助部材３０を、右側内フラップ１９に印刷された切り取り補助線１９ａに沿って切除する例を説明したが、これに限定されるものではなく、切り取り補助線１９ａにかえてミシン目を設け、このミシン目に沿って補助部材３０を分離するようにしても良い。
【００３１】
また、本実施の形態では、補助部材３０の保持を、下部突起５１Ｌ，５１Ｒ及び上部突起５２Ｌ，５２Ｒにより行う例を説明したが、これに限定されるものではなく、リブ、溝等、補助部材３０の保持が可能な保持手段であればよい。
【００３２】
また、本実施の形態では、補助部材３０を、プリンタ５０から排出される印刷済み用紙を載置する手段として説明したが、これに限定されるものではなく、例えば用紙供給側に設けることも可能である。
【００３３】
更に、本実施の形態では、補助部材３０を、右側内フラップ１９から調達したが、これに限定されるものではなく、左側内フラップ１８、更には両フラップから調達してもよいなど、本発明は、種々の形態をとり得るものである。
【００３４】
以上のように、本実施の形態のプリンタ用梱包箱１０によれば、プリンタ５０本体に実装することにより、印刷済みの用紙を載置してその取り扱いを容易にする補助部材３０を、コストアップすることなく提供することができる。また、補助部材３０は、梱包した状態で内側に織り込まれる内フラップ１９から切り出しているため、一度この補助部材３０を実装したプリンタ５０を別の使用場所へ輸送する事例が発生した場合など、再梱包するに際して、初期梱包時の梱包形態及び外観を維持することが可能となる。
【００３５】
更に、補助部材３０となる右側内フラップ１９の分離部分１９ｂが、梱包時には外部に晒されないため、輸送時に発生する可能性があるラベル類の貼り付け、汚れの付着、破損等の影響を受けにくく、補助部材としての好ましい外観及び性能を確保することが出来る。
【００３６】
尚、前記した特許請求の範囲、及び実施の形態の説明において、「上」、「下」、「左」、「右」、「前」、「後」といった言葉を使用したが、これらは便宜上であって、プリンタ用梱包箱、補助部材、及びプリンタを配置する状態における絶対的な位置関係を限定するものではない。
【符号の説明】
【００３７】
１０  プリンタ用梱包箱、  １１  前長さ面、  １２  後長さ面、  １３  左幅面、  １４  右幅面、  １６  前側外フラップ、  １７  後側外フラップ、  １８  左側内フラップ、  １９  右側内フラップ、  １９ａ  切り取り補助線、  １９ｂ  分離部分、  ２１  底面、  ２２  天面、  ２５  梱包用テープ、  ２６  梱包用テープ、  ３０  補助部材、  ３０ａ  短辺、  ３０ｂ  短辺、  ３０ｃ  長辺、  ５０  プリンタ、  ５１Ｌ  下部突起、  ５１Ｒ  下部突起、  ５２Ｌ  上部突起、  ５２Ｒ  上部突起、  ５４  下部シャーシ、  ５４ａ  傾斜面、  ５６  用紙排出部。
【図１】
2015081123.tif 000003
【図２】
2015081123.tif 000004
【図３】
2015081123.tif 000005
【図４】
2015081123.tif 000006
【図５】
2015081123.tif 000007
【図６】
2015081123.tif 000008